(57)【要約】      （修正有）【課題】作業性の向上を図った掃除用手袋を提供する。【解決手段】掃除用手袋１は、手を覆うための袋状の基体１０と、前記基体の外面上に設けられたクリーナ部２０と、を備えており、基体１０は、たとえば、同一形状、同一寸法および平板状の２枚のフィルムの縁を接続することにより、袋状に形成される。一方のフィルムは、指部１１および本体部１２のそれぞれの一方面を構成する。他方のフィルムは、指部１１および本体部１２のそれぞれの他方面を構成する。接続方法は、特に限定されないが、たとえば、熱や高周波などによる融着、または、接着剤や粘着剤などによる接着が用いられる。クリーナ部２０は、多孔質材により形成されている。多孔質材としては、たとえば、不織布、スポンジ、ブラシ、織布が挙げられ、不織布が好ましい。【選択図】図１
0003193185.tif 000002
【実用新案登録請求の範囲】
【請求項１】
手を覆うための袋状の基体と、
前記基体の外面上に設けられたクリーナ部と、を備えており、
前記基体がフィルムで形成されている、掃除用手袋。
【請求項２】
前記基体は、同形状かつ平面状の２枚のフィルムの縁を接続して形成されている、請求項１に記載の掃除用手袋。
【請求項３】
前記２枚のフィルムがいずれも透明なフィルムである、請求項２記載の掃除用手袋。
【請求項４】
前記基体は、指を覆うための指部を有しており、
前記クリーナ部は、前記指部の一方外面上に設けられており、不織布で形成されている、請求項１〜３のいずれか一項に記載の掃除用手袋。
【請求項５】
前記クリーナ部にゴム粒子が付着している、請求項１〜４のいずれか一項に記載の掃除用手袋。
【考案の詳細な説明】
【技術分野】
【０００１】
本考案は、掃除道具を備えた掃除用手袋に関する。
【背景技術】
【０００２】
従来の掃除用手袋として、たとえば、特許文献１に示すブラシ付き手袋が提案されている。このブラシ付き手袋は、手袋本体の手の平側にブラシが固着されている。この手袋本体は、合成樹脂シートまたはゴムシートにより形成されている。
【先行技術文献】
【特許文献】
【０００３】
【特許文献１】実開平３−７８４２１号公報
【考案の概要】
【考案が解決しようとする課題】
【０００４】
特許文献１のブラシ付き手袋は、手の汚れを防止しながら、ブラシでごみ除去におこなうことができる。しかしながら、除去したごみをごみ袋に集めて捨てるなどのごみ処理を別途する必要があり、作業性に劣っていた。
【０００５】
本考案はこのような課題を解決するためになされたものであり、作業性の向上を図った掃除用手袋を提供することを目的としている。
【課題を解決するための手段】
【０００６】
本考案のある態様に係る掃除用手袋は、手を覆うための袋状の基体と、前記基体の外面上に設けられたクリーナ部と、を備えており、前記基体がフィルムで形成されている。
【０００７】
掃除用手袋では、前記基体は、同形状かつ平面状の２枚のフィルムの縁を接続して形成されていてもよい。
【０００８】
掃除用手袋では、前記２枚のフィルムがいずれも透明なフィルムであってもよい。
【０００９】
掃除用手袋では、前記基体は、指を覆うための指部を有しており、前記クリーナ部は、前記指部の一方外面上に設けられており、不織布で形成されていてもよい。
【００１０】
掃除用手袋では、前記クリーナ部にゴム粒子が付着していてもよい。
【考案の効果】
【００１１】
本考案は、以上に説明した構成を有し、作業性の向上を図った掃除用手袋を提供することができるという効果を奏する。
【００１２】
本考案の上記目的、他の目的、特徴、及び利点は、添付図面参照の下、以下の好適な実施態様の詳細な説明から明らかにされる。
【図面の簡単な説明】
【００１３】
【図１】本考案の実施形態１に係る掃除用手袋を示す図である。
【図２】図１の掃除用手袋を裏返しながら外している状態を示す図である。
【図３】外した掃除用手袋に示す図である。
【図４】縛った掃除用手袋を示す図である。
【図５】本考案の実施形態２に係る掃除用手袋の一部を拡大した断面図である。
【考案を実施するための形態】
【００１４】
以下、本考案の実施の形態を、図面を参照しながら具体的に説明する。なお、以下では全ての図面を通じて同一又は相当する要素には同一の参照符号を付して、その重複する説明を省略する。
【００１５】
（実施の形態１）
図１は、実施の形態１に係る掃除用手袋１を示す平面図である。掃除用手袋１は、基体１０およびクリーナ部２０を備えている。掃除用手袋１は、使い捨てであってもよい。また、掃除用手袋１は、薄く畳んで、かつ、多数重ねて、未使用状態で保管されていてもよい。
【００１６】
基体１０は、使用者の手を覆うための袋状の部分であって、たとえば、指部１１および本体部１２を有している。本体部１２は、筒状であって、使用者の手の平または手の甲を覆うための部分である。本体部１２の一方端には指部１１が接続し、その開口は指部１１により閉じられている。本体部１２の他方端は開口している。
【００１７】
指部１１は、袋状であって、１つまたは複数が設けられている。この実施の形態では、５つの指部１１として、第一指部１１ａ、第二指部１１ｂ、第三指部１１ｃ、第四指部１１ｄおよび第五指部１１ｅにより構成されている。第一指部１１ａは、幅が広くて短く、使用者の第一指（親指）を覆うための部分である。第二指部１１ｂは、第一指部１１ａに隣接し、第一指部１１ａより幅が狭くて長く、使用者の第二指（人差し指）を覆うための部分である。第三指部１１ｃは、第二指部１１ｂに隣接し、第二指部１１ｂより長くて、使用者の第三指（中指）を覆うための部分である。第四指部１１ｄは、第三指部１１ｃに隣接し、第三指部１１ｃより短くて、使用者の第四指（薬指）を覆うための部分である。第五指部１１ｅは、第四指部１１ｄに隣接し、第四指部１１ｄより幅が狭くて短く、使用者の第五指（小指）を覆うための部分である。
【００１８】
基体１０は、薄い膜（フィルム）で形成されている。基体１０の厚みは、たとえば、０．０１〜０．１２ｍｍであり、好ましくは０．０１〜０．０５ｍｍであり、さらに好ましくは、０．０２〜０．０４ｍｍである。基体１０が薄すぎると、掃除の際に基体１０が破れやすく、作業性に劣る。一方、基体１０が厚すぎると、基体１０を縛ることができず、掃除用手袋１の開口を閉じることができない。
【００１９】
基体１０は、樹脂またはゴムで形成されており、樹脂が好ましい。樹脂としては、たとえば、ポリエチレンおよびポリプロピレンなどのポリオレフィン、ならびに、ポリ塩化ビニールが挙げられる。ゴムとしては、たとえば、天然ゴムやニトリルゴムが挙げられる。基体１０の色は特に限定されないが、透明であることが好ましい。透明は、不透明以外であって、半透明を含む。基体１０の表面には、べたつきやすべりが少ないように、エンボス加工が施されていてもよい。
【００２０】
基体１０は、たとえば、同一形状、同一寸法および平板状の２枚のフィルムの縁を接続することにより、袋状に形成される。一方のフィルムは、指部１１および本体部１２のそれぞれの一方面を構成する。他方のフィルムは、指部１１および本体部１２のそれぞれの他方面を構成する。接続方法は、特に限定されないが、たとえば、熱や高周波などによる融着、または、接着剤や粘着剤などによる接着が用いられる。
【００２１】
クリーナ部２０は、多孔質材により形成されている。多孔質材としては、たとえば、不織布、スポンジ、ブラシ、織布が挙げられ、不織布が好ましい。不織布は、たとえば、ナイロンやポリオレフィンなどの樹脂の繊維により形成されている。スポンジは、たとえば、ポリウレタンなどの樹脂の発泡成形体により形成されている。
【００２２】
クリーナ部２０は、１つまたは複数、基体１０の外面上に設けられている。たとえば、クリーナ部２０は、指部１１に設けられており、好ましくは、指部１１の一方面に設けられており、さらに好ましくは、第二指部１１ｂの一方面に設けられている。クリーナ部２０は、指部１１の一方面に収まるサイズであって、指部１１の一方面の全体またはほぼ全体に設けられている。クリーナ部２０は、接着剤や粘着剤などによる接着により基体１０に取り付けられる。
【００２３】
クリーナ部２０は平板形状であって、その厚みは、たとえば、１〜５ｍｍであって、好ましくは、２〜３ｍｍである。クリーナ部２０が薄すぎると、クリーナ部２０でこすった際にクリーナ部２０が破れやすく、作業性に劣る。クリーナ部２０が厚すぎると、柔軟性が低く、作業性に劣る。
【００２４】
次に、図１〜図４を参照して、掃除用手袋１の使用方法について説明する。図２は、掃除用手袋１を外している図である。図３は、掃除用手袋１を裏返した状態を示す図である。図４は、掃除用手袋１の口を縛った状態を示す図である。
【００２５】
まず、使用者は、薄く畳んで、かつ、多数重ねたところから、掃除用手袋１を取る。そして、図１および図２に示すクリーナ部２０がある第二指部１１ｂに人差し指を通して、掃除用手袋１を手に嵌める。たとえば、排水口を覆うカバー（排水口カバー）を掃除する場合、排水口カバーに溜まった髪の毛や大きめのごみを第三指部１１ｃと第一指部１１ａとで摘まんで傍らに集めておく。次に、クリーナ部２０で排水口カバーをこすり、排水口カバーに付着した汚れや小さなごみを除去する。そして、パッドにごみが付着したり、集めておいた髪の毛や大きめのごみを摘まんだりした状態で、図２に示すように、裏返しながら掃除用手袋１を外す。これにより、図３に示すように、裏返した掃除用手袋１の内側にごみ３１が収められる。最後に、掃除用手袋１の基体１０の本体部１２を縛ると、ごみ３１が掃除用手袋１の中に収容される。そして、掃除用手袋１をごみと共に捨てる。
【００２６】
上記構成によれば、掃除用手袋１の基体１０がフィルムで形成されていることにより、掃除用手袋１を簡単に裏返して縛ることができる。よって、集めたごみ３１を掃除用手袋１の中に簡単に収容して掃除用手袋１の口を閉じることができる。よって、ごみ袋が別途不要であるため、経済的に優れている。また、集めたごみ３１をごみ袋に移す作業が必要なく、作業性に優れている。
【００２７】
また、基体１０は透明に形成されている。このため、基体１０を裏返した際に基体１０の内側に収めたごみ３１の状態が見える。よって、ごみ３１の位置を判断しながら、基体１０の口を閉じることができる。
【００２８】
さらに、基体１０は、同一形状、同一寸法で平板状の２枚のフィルムの縁を接続することにより形成される。このため、部品点数を削減することができ、製造コストを抑えることができる。また、未使用の掃除用手袋１を薄く畳み、多数を重ねて保管することができ、保管に大きなスペースを必要としない。また、掃除用手袋１を使用する際には、一枚ずつ掃除用手袋１を取り、掃除後には掃除用手袋１を使い捨てすることができ、作業性に優れている。
【００２９】
また、クリーナ部２０が掃除用手袋１に設けられていることにより、クリーナ部２０で小さなごみ３１や汚れを除去することができる。よって、スポンジや歯ブラシなどの掃除道具を別途用いる必要がなく、経済的に優れている。また、指部１１でごみ３１を集める作業と、クリーナ部２０でごみ３１を除去する作業とを連続的に行うことができ、作業性に優れている。さらに、クリーナ部２０が第二指部１１ｂに設けられているため、掃除がし易く、作業性に優れている。
【００３０】
さらに、クリーナ部２０は、多孔質材により形成されているため、クリーナ部２０は弾力性を有する。よって、排水口カバーなどを傷つけることなく力を入れて掃除できるため、作業性に優れている。また、クリーナ部２０に洗剤などを含ませることができるため、多様な汚れを除去することができる。また、クリーナ部２０に不織布が用いられることにより、製品コストを低く抑えることができる。
【００３１】
（実施の形態２）
図５は、実施の形態２に係る掃除用手袋１の一部を示す拡大断面図である。図５に示すように、掃除用手袋１のクリーナ部２０に粒子２１が設けられている。粒子２１は弾性材料により形成されている。弾性材料はゴムまたは樹脂であり、好ましくはゴムである。粒子２１の径は、クリーナ部２０に収まる寸法であればよく、クリーナ部２０の厚み以下である。粒子２１は、クリーナ部２０の基材間の内部空間に収まっており、クリーナ部２０の基材に接着などにより付着している。
【００３２】
図５の矢印に示す方向にクリーナ部２０により排水口カバー３０をこすると、排水口カバー３０に付着したごみ３１がクリーナ部２０の粒子２１によりこそがれる。これにより、ごみ３１が排水口カバー３０から除去されてクリーナ部２０に移行する。これにより、クリーナ部２０に粒子２１を付着していることにより、ごみ３１がより効率的に除去され、作業性に優れる。
【００３３】
なお、上記全実施の形態は、互いに相手を排除しない限り、互いに組み合わせてもよい。
【００３４】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【産業上の利用可能性】
【００３５】
本考案の掃除用手袋は、作業性の向上を図った掃除用手袋等として有用である。
【符号の説明】
【００３６】
１      ：掃除用手袋
１０    ：基体
１１    ：指部
２０    ：クリーナ部
２１    ：粒子
【図１】
0003193185.tif 000003
【図２】
0003193185.tif 000004
【図３】
0003193185.tif 000005
【図４】
0003193185.tif 000006
【図５】
0003193185.tif 000007